(57)【要約】【課題】紙製の理容用櫛の強度の改善を図り、使用中に櫛背や櫛歯が折れたり割れたりすることを防止して、紙製櫛の実用性を高める。【解決手段】櫛背（２）から一列に突設させた櫛歯（３）の根元部（４）を櫛背側へ湾曲した形状に設け、この湾曲した根元部（４）と櫛背（２）の表面部及び裏面部との縁にそれぞれ切り欠き部（５）を設けることにより、櫛歯（３）に可撓性を付与する。【選択図】図１
2005081041.tif 000002
【特許請求の範囲】
【請求項１】
櫛背から櫛歯を一列に突出させた形状を有する植物繊維を主材料として成形される理容用の櫛であって、櫛歯と櫛歯の間の根元部を櫛背側へ湾曲した形状に設け、この湾曲した根元部と櫛背の表面部及び裏面部との縁にそれぞれ切り欠き部を設けたことを特徴とする理容用の櫛。
【請求項２】
切り欠き部は、櫛背側から根元部に向かって漸次深くなるように設けられていることを特徴とする請求項１に記載の理容用の櫛。
【請求項３】
櫛歯間隔が狭い櫛歯列と、櫛歯間隔が広い櫛歯列を設け、前記広い櫛歯列の櫛歯間に切り欠き部を設けたことを特徴とする請求項１又は２に記載の理容用の櫛。
【発明の詳細な説明】
【技術分野】
【０００１】
本発明は、整髪に用いられる理容用の櫛に関するものである。
【背景技術】
【０００２】
整髪のために利用される櫛のうち、つげなどの木材を切削加工してなるものは加工に手間を要して高価であり、プラスチックを成形加工してなるものは焼却廃棄ができず環境保全のための便宜が必要となる。そのため、焼却廃棄が可能な植物繊維を主材料とした紙製の櫛の構造や、紙製の櫛を射出成形により成形する方法などが案出されている（例えば特許文献１、２参照）。
【０００３】
【特許文献１】実開平５−９４０６号公報
【特許文献２】実用新案登録第３０８４７３８号公報
【発明の開示】
【発明が解決しようとする課題】
【０００４】
図４に示されるように、櫛背２の端面に沿って列設される櫛歯３は約１ｍｍの太さで先細り状に形成され、櫛１で整髪するときは、髪の毛が櫛歯３にからみつき、櫛歯３と櫛背２の接続部分に外力が加わる。従って、櫛歯３の根元部の強度を十分に高くする必要があるが、射出成形により成形される紙製の櫛は、プラスチック製の櫛と比べて強度が小さく、細くて厚みのない櫛歯３とその根元部４の強度を高めることが難しいため十分な強度を確保できず、整髪中に櫛歯３が折れ曲がったり櫛歯３が櫛背２から割れ落ちたりし易いという問題があった。また、紙製の櫛は弾性も小さく、櫛１を把持して整髪する際に、櫛背２を弓形に曲げ或いは指を櫛歯３の表面に押し当てて力を加えると、櫛背２と櫛歯３が折れたり割れたりし易いという問題があった。
【０００５】
本発明は従来技術の有するこのような問題点に鑑み、射出成形により成形される紙製の櫛の強度の改善を図り、使用中に櫛背や櫛歯が折れたり割れたりすることを防止して、紙製の櫛の実用性を高めることを課題とする。
【課題を解決するための手段】
【０００６】
紙製の櫛を成形するにあたり、成形材料を適宜に選定して櫛全体の剛性を高めたとしても、図４に示された従来の櫛の如く櫛背２の端面にこれと直交するように櫛歯３を突出させた形態では、櫛歯３が根元部４から弾性変形し難く、櫛歯３の突出方向と交差する方向に外力が加わると、櫛歯３が折れ曲がったり根元部４で割れたりしてしまう。
そこで、本発明の理容用の櫛では、櫛歯が根元部から弾性変形しやすい形態に設けることで、櫛歯が折れ曲がったり割れたりすることが防止されるように構成した。
【０００７】
すなわち、本発明の理容用の櫛は、櫛背から櫛歯を一列に突設させた形状を有する植物繊維を主材料として成形される櫛であって、櫛歯と櫛歯の間の根元部を櫛背側へ湾曲した形状に設け、この湾曲した根元部と櫛背の表面部及び裏面部との縁にそれぞれ切り欠き部を設けたことを特徴としている。
前記構成の理容用の櫛において、切り欠き部は、櫛背側から根元部に向かって漸次深くなるように設けることが好ましく、また、櫛背側から根元部に向かって漸次幅広になるように設けることが好ましい。
【０００８】
本発明の理容用の櫛は、櫛歯の根元部が湾曲形状をなしていることにより、櫛歯が隣接櫛歯方向へ撓みやすくなり、また、根元部に設けた切り欠き部により、櫛歯が櫛の表裏両面を貫通する方向へ撓みやすくなっている。従って、整髪中にそれぞれの方向へ外力が加わった場合、外力が加わった方向へ櫛歯が根元部からそり曲がって変形し、櫛歯が変形することで根元部で応力が生じることが抑制され、櫛歯が折れたり根元部で割れたりすることを防止できる。また、櫛歯が変形することで櫛歯と櫛背の境界部分の応力も吸収され、櫛背の折れや割れも防止できる。
櫛歯の根元部に設ける切り欠き部は、櫛背側から根元部に向かって漸次深くなるように、或いは櫛背側から根元部に向かって漸次幅広になるように設けることで、櫛歯の可撓性を高められ、外力に対する応力吸収機能が向上する。
なお、切り欠き部は、櫛背から突出した全ての櫛歯の根元部に設けてもよく、一部の櫛歯の根元部に設けてもよい。
櫛歯間隔が狭い櫛歯列と、櫛歯間隔が広い櫛歯列を設けてなる櫛にあっては、切り欠き部を広い櫛歯列の櫛歯間に設けることが好ましい。
【発明の効果】
【０００９】
本発明の理容用の櫛によれば、櫛歯が可撓性を有し、櫛歯に力が加わったときに櫛歯が適宜に撓んで応力の発生を抑え、整髪中に櫛歯が折れ曲がったり割れたりすることはない。櫛は、植物繊維を主材料とした紙製なので、焼却可能であり、廃棄の便宜に優れている。また、櫛歯の根元部に切り欠き部を設けてあることにより、髪の櫛通りが良好となり、櫛歯間に髪を通してスムーズな整髪が可能となる。
【発明を実施するための最良の形態】
【００１０】
本発明の好適な施形態を図面を参照して説明する。
図１は本発明の一実施形態の理容用の櫛の表面を示している。同図に示されるように、この櫛１は、適宜な長さで帯状に延びた櫛背２の一側端にその長手両端に亘って、多数の櫛歯３を一列に所定の間隔で列設させて形成してある。
【００１１】
詳しくは、櫛１は櫛背２の中央を境として櫛歯３の幅（太さ）及び配置間隔を異ならせてあり、櫛背２の半面には幅１．３ｍｍ程度の細櫛歯３１を０．９ｍｍ程度の間隔で列設させ、他半面には幅１．６ｍｍ程度の太櫛歯３２を２．４ｍｍ程度の間隔で列設させてある。細櫛歯３１と太櫛歯３２は何れも先細り状をなし、先端の幅は１ｍｍ程度に形成してある。
【００１２】
また、両櫛歯３１、３２の櫛背２との接続部である根元部４は、図２に示されるように、隣接する細櫛歯３１、３１又は太櫛歯３２、３２の間を櫛背２側へ湾曲させた形状にそれぞれ設けてある。
【００１３】
さらに、太櫛歯３２の根元部４の湾曲面内であって、隣接する太櫛歯３２、３２の配置間隙の中間位置には、湾曲した縁を細浅く切り欠いた、切り欠き部５を設けてある。
この切り欠き部５は、湾曲した根元部４の表裏両面に設けられており、図２（Ａ）及び図３に示されるように、櫛背２側から根元部４に向かって漸次幅広となる三角形状をなし、且つこの三角形状の頂点から底辺に亘って漸次深くなるように設けてある。
具体的には、切り欠き部５の幅は、根元部４の縁から上方１．３ｍｍ程度の位置を頂点として前記縁に至るまで左右に漸次広がり、縁おいて１ｍｍ程度に設けてあり、また、切り欠き部５の深さは、前記頂点から縁に至るまで徐々に深くし、縁において０．５ｍｍ程度に設けてある。
【００１４】
なお、櫛１は、例えばセルロース繊維に熱可塑性樹脂を配合した素材を用い、これを造粒し、射出成形機により一体に成形することができる。
【００１５】
このように構成された櫛１によれば、櫛歯３の根元部４が湾曲形状をなしているので、図１に示す如く、櫛歯３の突出方向（矢符Ａ方向）に対して、これと交差する隣接櫛歯方向（矢符Ｂ方向）へ櫛歯３が撓みやすくなる。また、櫛歯３２の根元部４に設けた切り欠き部５により、櫛１の表裏両面を貫通する方向（矢符Ｃ方向）へ櫛歯３２が撓みやすくなる。従って、整髪中にそれぞれの方向から外力が加えられた場合、外力の方向へ櫛歯３が根元部４からそり曲がって変形し、これにより櫛歯３と櫛背２の境界である根元部４に応力が発生するのを抑え、櫛歯３が折れ曲がったり根元部４で割れたりすることを防止する。また、櫛歯３２の根元部４に切り欠き部５が設けてあることにより、櫛歯３２の髪への櫛通りが良好となり、櫛歯３２、３２間に髪を通してスムーズに整髪することができる。
【００１６】
なお、図示した形態では、太櫛歯３２の根元部４にのみ切り欠け部５を設けたが、細櫛歯３１の根元部４にも切り欠け部５を設けてもよい。また、櫛歯３は櫛背２の片側にのみ設けたが、櫛背２の両側に設けてもよい。
本発明の理容用の櫛は、図示した形態に限定されず、他の適宜な形態に設けることが可能である。
【図面の簡単な説明】
【００１７】
【図１】本発明の一実施形態の理容用の櫛の表面図である。
【図２】図１の櫛の（Ａ）は太櫛歯側、（Ｂ）は細櫛歯側の端部の拡大表面図である。
【図３】図２のIII-III線に沿った拡大断面図である。
【図４】従来の櫛の要部表面図である。
【符号の説明】
【００１８】
１  櫛、２  櫛背、３  櫛歯、３１  細櫛歯、３２  太櫛歯、４  根元部、５切り欠き  部
【図１】
2005081041.tif 000003
【図２】
2005081041.tif 000004
【図３】
2005081041.tif 000005
【図４】
2005081041.tif 000006